(57)【要約】【課題】スクレーパ付回転機械において、一対のロール間の距離の調整と、スクレーパの位置調整とを簡単に行えるようにする。【解決手段】一対のロール４，５と、各ロール４，５の表面付着物を取り除くスクレーパ１２，１４とを備えたロール破砕機において、一対のロール４，５のうち従動側ロール５を駆動側ロール４に対して移動可能に構成し、従動側スクレーパ１２を移動可能に構成された従動側ロール５と共に移動可能に構成する。【選択図】図１
2015107447.tif 000002
【特許請求の範囲】
【請求項１】
一対のロールと、各ロールの表面付着物を取り除くスクレーパとを備えたスクレーパ付回転機械において、
上記一対のロールのうち少なくとも一方が、他方に対して移動可能に構成され、
上記移動可能に構成されたロールに対応するスクレーパは、該スクレーパの先端と該ロールの表面との距離を保ったまま該ロールと共に移動するように構成されている
ことを特徴とするスクレーパ付回転機械。
【請求項２】
請求項１に記載のスクレーパ付回転機械において、
上記スクレーパは、移動可能に構成された上記ロールの中心軸を支持する軸支持部と共に、移動可能に構成されている
ことを特徴とするスクレーパ付回転機械。
【請求項３】
請求項１又は２に記載のスクレーパ付回転機械において、
駆動装置を備え、
上記一対のロールの一方が上記駆動装置に駆動される駆動側ロールであり、
上記一対のロールの他方が上記駆動側ロールに連結した伝達手段により駆動される従動側ロールであり、
上記スクレーパは、上記従動側ロールの軸方向両端にそれぞれ設けられた軸支持部を連結する連結棒に設けられている
ことを特徴とするスクレーパ付回転機械。
【発明の詳細な説明】
【技術分野】
【０００１】
本発明は、一対のロールと、各ロールの表面付着物を取り除くスクレーパとを備えたスクレーパ付回転機械に関するものである。
【背景技術】
【０００２】
従来より、様々な固形物を粉砕する場合や凝集物をほぐす場合に、平行に並べた一対のロールを互いに内側に回転させる回転機械を用いることが知られている。このような回転機械では、処理物の物性によっては、処理物がロールの表面に付着することがある。この付着は、処理量の低下、収率の低下等の効率悪化の一因となる。
【０００３】
そこで、付着した処理物をスクレーパと呼ばれる掻き取り板を用いることで、ロールの表面付着物を掻き取るロール破砕装置が知られている（例えば、特許文献１参照）。このロール破砕装置は、処理物の供給サイズに合わせ、一対のロール間の距離を調整できるようになっている。
【先行技術文献】
【特許文献】
【０００４】
【特許文献１】特昭６１−７４６５３号公報
【発明の概要】
【発明が解決しようとする課題】
【０００５】
回転体であるロールに対し、スクレーパはケーシング等の固定体に固定される必要がある。
【０００６】
また、スクレーパ先端がロール表面に接触すると、ロールの回転が阻害される。一方で、スクレーパ先端とロール表面との間の隙間が大きすぎると、効率的に表面付着物を掻き取ることができない。このため、スクレーパ先端とロール表面との間の隙間は、正確に調整できる必要がある。
【０００７】
一方で、一対のロール間の距離も、処理物に合わせて調整する必要があり、一対のロール間の距離を調整すると、それに合わせてスクレーパの位置調整をしなければならず、調整作業が大変である。
【０００８】
本発明は、かかる点に鑑みてなされたものであり、その目的とするところは、一対のロール間の距離の調整と、スクレーパの位置調整とを簡単に行えるようにすることにある。
【課題を解決するための手段】
【０００９】
上記の目的を達成するために、この発明では、ロールの移動構造にスクレーパを固定するようにした。
【００１０】
具体的には、第１の発明では、一対のロールと、各ロールの表面付着物を取り除くスクレーパとを備えたスクレーパ付回転機械において、
上記一対のロールのうち少なくとも一方が、他方に対して移動可能に構成され、
上記移動可能に構成されたロールに対応するスクレーパは、該スクレーパの先端と該ロールの表面との距離を保ったまま該ロールと共に移動するように構成されている。
【００１１】
上記の構成によると、処理物の供給サイズに合わせて一対のロール間の距離を調整しても、スクレーパが移動可能なロールと共にスクレーパの先端とロールの表面との距離を保ったまま移動するので、ロールとは別にスクレーパ自体を移動させてロール表面との間の距離を調整する必要がない。このため、手間が省けると共に、スクレーパ先端とロール表面との間の距離を一定に保ちやすい。ここで「スクレーパの先端と該ロールの表面との距離を保ったまま該ロールと共に移動する」とは、移動可能なロールを移動させれば、その動きに伴って対応するスクレーパが相対的な距離を変えることなく同時に移動することを意味する。
【００１２】
第２の発明では、第１の発明において、
上記スクレーパは、移動可能に構成された上記ロールの中心軸を支持する軸支持部と共に、移動可能に構成されている。
【００１３】
上記の構成によると、ロールの中心軸を支持する軸支持部と共にスクレーパが移動するので、スクレーパ先端とロール表面との間の距離を確実に一定に保つことができる。
【００１４】
第３の発明では、第１又は第２の発明において、
駆動装置を備え、
上記一対のロールの一方が上記駆動装置に駆動される駆動側ロールであり、
上記一対のロールの他方が上記駆動側ロールに連結した伝達手段により駆動される従動側ロールであり、
上記スクレーパは、上記従動側ロールの軸方向両端にそれぞれ設けられた軸支持部を連結する連結棒に設けられている。
【００１５】
上記の構成によると、従動側ロールのみを移動させることで、駆動側ロールと駆動装置との位置関係が変わらず、駆動手段との調整の必要がない。従動側ロールを移動させたときには、伝達手段で対応すればよい。スクレーパは、従動側ロールの軸支持部を連結する連結棒に設けているので、従動側ロールを移動させても、スクレーパ先端とロール表面との間の距離を確実に一定に保つことができる。
【発明の効果】
【００１６】
以上説明したように、本発明によれば、スクレーパを移動可能に構成されたロールと共に移動させるようにしたので、一対のロール間の距離の調整と、スクレーパの位置調整とを簡単に行うことができる。
【図面の簡単な説明】
【００１７】
【図１】図２のＩ−Ｉ線拡大断面図である。
【図２】本発明の実施形態に係るスクレーパ付回転機械を示す平面図である。
【図３】図４のIII−III線拡大断面図である。
【図４】図２のIV方向から見た矢視図である。
【発明を実施するための形態】
【００１８】
以下、本発明の実施形態を図面に基づいて説明する。
【００１９】
図２〜図４は、本発明の実施形態のスクレーパ付回転機械としてのロール破砕機１を示し、このロール破砕機１は、溝形鋼等を組み合わせたベース２を有し、このベース２上に駆動装置としての電動モータ３が設けられている。なお、駆動装置は、油圧モータなど他の駆動手段でもよい。
【００２０】
電動モータ３の出力軸には、駆動側プーリ３ａが設けられている。ベース２上には、箱形のケーシング２ａが設けられ、このケーシング２ａ内には、電動モータ３と平行に一対のロール４，５が回転可能に設けられている。一対のロール４，５は、それぞれ軸支持部６，７でケーシング２ａに支持されている。一対のロール４，５の表面には、例えば断面が鋸の歯状に同じ形状の溝が等間隔に並んでいる。この表面形状は、処理する材料に合わせ、溝ピッチを変えたり、溝深さを変えたりすればよい。溝形状も特に限定されず、溝のない平坦な表面としてもよい。図１及び図２に示すように、ケーシング２ａの上面には、矩形状の材料投入口２ｂが開口し、底面には、材料排出口２ｃが開口している。
【００２１】
一対のロール４，５のうち、駆動側ロール４の中心軸４ａの一端には、従動プーリ４ｂが回転一体に連結され、この従動プーリ４ｂが駆動側プーリ３ａに駆動される伝動ベルト３ｂに掛けられることで、電動モータ３の回転力により、駆動側ロール４が回転されるようになっている。
【００２２】
駆動側ロール４の中心軸４ａの他端には、伝達手段としての駆動側歯車４ｃが回転一体に連結されている。この駆動側歯車４ｃは、他方の従動側ロール５の中心軸５ａに回転一体に連結した従動側歯車５ｂに噛み合っている。このことで、従動側ロール５が駆動側ロール４と同じ回転速度で互いに内側へ回転するようになっている。
【００２３】
駆動側ロール４の中心軸４ａは、図示しない軸受等を内蔵する駆動側軸支持部６に回転可能に支持されている。従動側ロール５の中心軸５ａは、軸受等を内蔵する従動側軸支持部７に回転可能に支持されている。本実施形態では、駆動側軸支持部６は、ケーシング２ａに固定されているが、従動側軸支持部７は、ケーシング２ａに対してスライド移動可能に構成されている。
【００２４】
具体的には、一対の従動側軸支持部７（すなわち従動側ロール５）は、移動機構８を介して移動可能にケーシング２ａに取り付けられている。図４に示すように、ケーシング２ａの対向する側壁には、上下に間隔を空けて、例えば丸棒よりなるレール部材９がそれぞれ固定されている。このレール部材９は、従動側軸支持部７に形成した例えば円形の貫通孔７ａに挿通されている。従動側軸支持部７は、ケーシング２ａに取り付けた回転ハンドル１０の先端が、接続部７ｂによって従動側軸支持部７に連結されている。このことで、回転ハンドル１０を回転させると、従動側軸支持部７がレール部材９に沿って水平にスライド移動するようになっている。回転ハンドル１０は、一対の従動側軸支持部７にそれぞれ連結されており、一対の回転ハンドル１０をそれぞれ回転させ、連結された従動側軸支持部７をそれぞれスライド移動させて一対のロール４，５間の距離を調整可能となっている。なお、駆動側歯車４ｃと従動側歯車５ｂとの噛み合いは、従動側ロール５を移動させても滑らないように保たれるようにするとよい。
【００２５】
図３に示すように、一対の従動側軸支持部７の下側は、中心軸５ａに沿って延びる連結棒１１で結合されている。連結棒１１は、例えば、連結棒取付ボルト１１ａで従動側軸支持部７の下側に脱着可能に取り付けられている。
【００２６】
そして、図１に示すように、この連結棒１１の上面には、従動側スクレーパ１２が取り付けられている。従動側スクレーパ１２の先端は、従動側ロール５の表面の溝形状に合わせた軸方向長さにわたって凹凸形状が形成され、その凸部が従動側ロール５の表面の溝の凹部に隙間を空けて嵌まり込むような位置関係となっている。従動側スクレーパ１２の先端と従動側ロール５の表面との距離は、近すぎず遠すぎない適度な距離に設定される。それにより、表面の付着物をそぎ落としながらも従動側ロール５の回転を阻害しないようになっている。従動側スクレーパ１２は、スクレーパ取付ボルト１３をその長孔１２ａに通して連結棒１１に脱着可能となっており、長孔１２ａの締結位置でも微調整が可能となっている。従動側スクレーパ１２は、連結棒１１の上面に固定されているので、連結棒１１が、回転ハンドル１０の操作に伴って移動すれば、連結棒１１と共に移動するようになっている。本実施形態では、連結棒１１は、例えば断面矩形状の金属製棒材よりなり、剛性が高くなっている。
【００２７】
一方、駆動側ロール４に対応する駆動側スクレーパ１４は、ケーシング２ａの材料排出口２ｃの周縁にスクレーパ取付ボルト１３により固定されている。駆動側スクレーパ１４は、従動側スクレーパ１２とほぼ同じ形状であるが、駆動側ロール４の表面の溝形状に嵌まり込むような構成となっている。また、駆動側スクレーパ１４も、スクレーパ取付ボルト１３をその長孔１４ａに通してケーシング２ａの底面に脱着可能となっており、長孔１４ａの締結位置でのみ位置の微調整が可能となっている。
【００２８】
このように構成することにより、処理物の供給サイズに合わせて一対のロール４，５間の距離を調整しても、従動側スクレーパ１２が移動可能な従動側ロール５と共に従動側スクレーパ１２と従動側ロール５の表面との距離を保ったまま移動するので、従動側スクレーパ１２自体を移動させて従動側ロール５表面との間の距離を調整する必要がなく、手間が省けると共に、従動側スクレーパ１２先端と従動側ロール５表面との間の距離を一定に保つことができる。
【００２９】
従動側の従動側ロール５のみを移動させることで、駆動側ロール４と電動モータ３との位置関係が変わらず、伝動ベルト３ｂの調整の必要がない。従動側ロール５を移動させたときには、駆動側歯車４ｃと従動側歯車５ｂとが噛み合う範囲であれば特に噛み合い等の調整の必要はない。
【００３０】
従動側スクレーパ１２は、従動側ロール５の軸支持部７を連結する比較的剛性の高い連結棒１１に設けているので、従動側ロール５を移動させても、従動側スクレーパ１２の先端と従動側ロール５の表面との間の距離を確実に一定に保つことができる。
【００３１】
したがって、本実施形態に係るロール破砕機１によると、従動側スクレーパ１２を移動可能に構成された従動側ロール５と共に移動させるようにしたので、一対のロール４，５間の距離の調整と、従動側スクレーパ１２の位置調整とを同時に簡単に行うことができる。
【００３２】
（その他の実施形態）
本発明は、上記実施形態について、以下のような構成としてもよい。
【００３３】
すなわち、上記実施形態では、従動側ロール５のみを移動可能としたが、駆動側ロール４も移動可能としてもよい。その場合には、駆動側ロール４の下側にも連結棒１１を設け、その連結棒１１に駆動側スクレーパ１４を取り付ければよい。
【００３４】
また、上記実施形態では、スクレーパ付回転機械は、ロール破砕機１としたが、一対のロールが回転して供給材料を破砕、粉砕、整粒等行うものであってロール表面の付着物を取り除くスクレーパを設ける破砕機、粉砕機、整粒機等であれば、特に限定されない。
【００３５】
また、上記実施形態では、一対のロール４，５を有するロール破砕機１について説明したが、溝形状や、ロール間距離の異なる複数対のロールを多段に設けて材料を処理するようにしてもよい。
【００３６】
なお、以上の実施形態は、本質的に好ましい例示であって、本発明、その適用物や用途の範囲を制限することを意図するものではない。
【符号の説明】
【００３７】
１      ロール破砕機（スクレーパ付回転機械）
２      ベース
２ａ    ケーシング
２ｂ    材料投入口
２ｃ    材料排出口
３      電動モータ（駆動装置）
３ａ    駆動側プーリ
３ｂ    伝動ベルト
４      駆動側ロール
４ａ    中心軸
４ｂ    従動プーリ
４ｃ    駆動側歯車（伝達手段）
５      従動側ロール
５ａ    中心軸
５ｂ    従動側歯車
６      駆動側軸支持部
７      従動側軸支持部
７ａ    貫通孔
７ｂ    接続部
８      移動機構
９      レール部材
１０      回転ハンドル
１１      連結棒
１１ａ    連結棒取付ボルト
１２      従動側スクレーパ
１２ａ    長孔
１３      スクレーパ取付ボルト
１４      駆動側スクレーパ
１４ａ    長孔
【図１】
2015107447.tif 000003
【図２】
2015107447.tif 000004
【図３】
2015107447.tif 000005
【図４】
2015107447.tif 000006